(57)【要約】【課題】薬品用のビン類を、迅速に見分け、取出すことを可能にし、かつ、ビン類を安全に保持・出し入れできる薬品庫を提供することを目的とする。【解決手段】箱本体４内に支柱３を立設し、支柱３廻りに回転自在として、薬品用のビン類を載置する円形回転盤２を付設する。【選択図】  図１
2004154314.tif 000002
【特許請求の範囲】
【請求項１】
箱本体（４）内に支柱（３）を立設し、該支柱（３）廻りに回転自在として、薬品用のビン類を載置する回転盤（２）を付設したことを特徴とする薬品庫。
【請求項２】
回転盤（２）は、薬品用のビン類を鉛直状に保持する複数の保持孔（７）を有する上板（２ａ）と、該上板（２ａ）の下方に間隔を置いて配設した、上記ビン類を受けるための下板（２ｂ）と、から成る請求項１記載の薬品庫。
【請求項３】
上下複数段に、回転盤（２）を配設して、該回転盤（２）を独立的に回転可能とした請求項１または２記載の薬品庫。
【発明の詳細な説明】
【０００１】
【発明の属する技術分野】
本発明は、薬品庫に関する。
【０００２】
【従来の技術】
従来の薬品庫として、例えば、外箱内に複数段の棚を有し、薬品用のビン類を保持したり、また、外箱内に、前面に錠のついた内箱を取り付け、二重構造として、内箱内に薬品用のビン類を保持するものが知られている（例えば、本出願人が提案したところの特許文献１参照）。
【０００３】
【特許文献１】
特開２００２−１９１６７６号公報
【０００４】
【発明が解決しようとする課題】
この従来の薬品庫は、各棚に薬品用のビン類を載置すると、前方に載置するビン類はラベルを見やすく、手に取りやすいが、その後方に載置するビン類は、前方のビン類に隠れてしまい、ラベルが分かりにくく、しかも、取出しにくい。内箱内に載置するビン類も同様である。さらに、従来の薬品庫は、棚に複数本のビン類をそのまま載置するだけのため、少しの震動で、ビン類が倒れたり、また、ビン類が相互に接触するため、出し入れの際に、割れる虞れがある。このように、従来の薬品庫は、薬品用のビン類を迅速に判別し、取出すのが困難であり、かつ、ビン類を安全に保持・出し入れできる構造になっていなかった。
【０００５】
そこで、本発明は、薬品用のビン類を、迅速に見分け、取出すことを可能にし、かつ、ビン類を安全に保持・出し入れできる薬品庫を提供することを目的とする。
【０００６】
【課題を解決するための手段】
上述の目的を達成するために、本発明に係る薬品庫は、箱本体内に支柱を立設し、該支柱廻りに回転自在として、薬品用のビン類を載置する回転盤を付設したものである。
【０００７】
また、回転盤は、薬品用のビン類を鉛直状に保持する複数の保持孔を有する上板と、該上板の下方に間隔を置いて配設した、上記ビン類を受けるための下板と、から成っている。
【０００８】
さらに、上下複数段に、回転盤を配設して、該回転盤を独立的に回転可能としている。
【０００９】
【発明の実施の形態】
以下、実施の形態を示す図面に基づき、本発明を詳説する。
【００１０】
図１は、本発明の実施の一形態を示す薬品庫の斜視図である。薬品庫１は、開閉自在の前面扉５を有する箱本体４と、箱本体４内を左右に仕切るための縦仕切壁６と、箱本体４内の仕切られた空間毎に立設した支柱３と、支柱３の廻りに、回転自在となるように付設した、薬品ビン類８を載置する回転盤２と、を備えている。箱本体４、前面扉５及び縦仕切壁６は、木製、鋼板製、プラスチック製等の、強度を持つ材質にするとよい。また、前面扉５の一部分をガラス製にするのも好ましい。
【００１１】
支柱３は、鋼鉄等の強度の強い材質の円形パイプが好ましい。また、最上段の回転盤２の高さは、そこに載置された薬品ビン類８を判別し、手でスムーズに出し入れできる程度になるようにすればよく、支柱３の高さは、  １．７ｍ〜  １．９ｍ程度が好ましい。すると、箱本体４も  １．７ｍ〜  １．９ｍ程度となり、様々な場所で設置可能である。また、支柱３の直径は、２５ｍｍ〜４０ｍｍ程度がよい。
【００１２】
支柱３には、複数段の回転盤２が、所定間隔を置いて付設される。夫々の回転盤２は、箱本体４内のスペースに有効に付設できるように、すべて同一の径とする。また、縦仕切壁６は、回転盤２が箱本体の内部及び縦仕切壁６に接触しない間隔を保持されるように、箱本体内に配設する。
【００１３】
夫々の回転盤２の上下方向の間隔は、薬品ビン類８を出し入れする際に、上方の回転盤２の下面が支障がない範囲で、変えられる。よって、同一箱本体４に於て、支柱３に付設する回転盤２の段数を変えることができる。
【００１４】
図２は、本発明の実施の一形態を示す薬品庫の一部断面正面図である。支柱３の両端に配設する支柱固定具２３は、ビス等によって、箱内上面４ａ・箱内下面４ｂに、着脱自在に固着されている。よって、この薬品庫１は、箱本体４の外部に於て、支柱３の廻りに回転盤２を付設した後、支柱固定具２３を箱内上面４ａ・箱内下面４ｂに固着して、製作される。支柱３は、箱本体４と、着脱自在なので、随時支柱３を取外して、付設する回転盤２の段数、及び回転盤２の種類を変えることができる。
【００１５】
図３は、回転盤２の平面図である。回転盤２の中心は、支柱３が貫通している。また、薬品ビン類８を鉛直状に保持するための、複数個の保持孔７が、所定間隔を置いて配設してある。よって、夫々の薬品ビン類８を、互いに接触させることなく載置でき、回転盤２から出し入れする際に、ぶつかり合って割れる虞れがない。なお、回転盤２は図例の円形が好ましいが、所望により多角形とすることも可能である。
【００１６】
薬品ビン類８は、様々な種類があり、その外径も様々なので、保持孔７の直径は、３０ｍｍ〜  １２０ｍｍ程度の範囲で選択される。もし、回転盤２の有する複数個の保持孔７の径がすべて同一であれば、その回転盤２は、ほぼ同一形状の薬品ビン類８を載置できる。よって、複数段の回転盤２に於て、夫々の回転盤２毎に、有する保持孔７の直径を変えれば、薬品庫１は、回転盤２毎にほぼ同一形状の薬品ビン類８を載置でき、整理整頓に好都合で、見映えも優れる。
【００１７】
一方、回転盤２毎に、薬品の種類を変えたい場合等では、様々な形状・大きさの薬品ビン類８が、一つの回転盤２に載置されることもある。よって、様々な直径の保持孔７を有する回転盤２を製作すれば、薬品庫１は、回転盤２毎に、同種類の薬品ビン類８を載置することが可能である。
【００１８】
図４は回転盤２の斜視図であり、図５は要部拡大一部断面正面図である。この図４と図５に示す如く、回転盤２は、薬品ビン類８を鉛直状に保持するための、複数個の保持孔７を有する上板２ａと、その上板２ａの下方に間隔を置いて配設した、薬品ビン類８を受けるための下板２ｂと、から成っている。よって、回転盤２を回転した場合や、震動の起きる場合でも、薬品ビン類８は、保持孔７の内周面に当接し、転倒の虞れがない。上板２ａ・下板２ｂは、同一径の円形で、プラスチック製等の、複数本の薬品ビン類８を受けられる強度のある材質が好ましい。また、上板２ａ・下板２ｂは、木製、綱板製等でもよい。
【００１９】
また、下板２ｂは、上板２ａの複数個の保持孔７と同一径の凹窪部２５を保持孔７と対応する位置にプラスチック成形すれば、薬品ビン類８の底部を、その下板２ｂの凹窪部２５底壁に載置でき、一層転倒の虞れが少なくなる。
【００２０】
回転盤２は、上板２ａと下板２ｂが、上下方向に所定の間隔を置いて配設しているので、正面から、全ての薬品ビン類８のラベルを見ることが可能で、迅速に探し出せる。さらに、回転盤２は、そこへ載置する薬品ビン類８の高さに合わせて、上板２ａと下板２ｂの間隔を変えることができる。その具体的な構造を、図５に於て、説明する。
【００２１】
上板２ａ・下板２ｂは、夫々の中心に、上板孔２ａ′・下板孔２ｂ′を有している。支柱３が挿入される孔部を有する上短筒体９を、上板孔２ａ′に挿通し、上板固定ナット１０で螺合しており、また、支柱３が挿入される孔部を有する下短筒体１１を、下板孔２ｂ′に挿通し、下板固定ナット１２で螺合する。そして、上短筒体９と下短筒体１１の間に、支柱３に挿入される高さ調整円筒１４を支柱３廻りに挿嵌し、上板２ａと下板２ｂの間隔を保持する。
【００２２】
また、上板２ａ・下板２ｂ間には、その外周部２Ａ・２Ｂの３箇所以上に於て、高さ調整円筒２０を立設して、上板２ａと下板２ｂの上下方向の間隔を均一に保持する。上板２ａ・下板２ｂ・高さ調整円筒２０は、上板孔２ａ″・下板２ｂ″・高さ調整円筒２０に上下連通管１９を挿通して、連通管固定部材２１で固定すればよい。
【００２３】
また、固定用受け部材１３は、支柱３の外径と同一の内径を有する円筒部１３ｂと、その端の、外方へ水平な鍔部１３ａと、円筒部１３ｂに配設される固定孔１３′と、を有する。支柱３は、回転盤２を付設する高さに対応して、水平方向の貫通孔３′を有しており、固定用受け部材１３は、固定用ボルト１５を固定孔１３′・貫通孔３′に挿入し、固定用ナット１６で螺合して、支柱３と外嵌状に固定される。
【００２４】
よって、下短筒体１１の鍔部１１ａが、固定用受け部材１３の鍔部１３ａ上に当接し、支柱３廻りを回転自在とすることで、回転盤２は、支柱３の定位置に於て、回転自在となる。
【００２５】
また、図６に示す如く、回転盤２を、上下相互に嵌着可能な上板２ａと下板２ｂをもって構成するも好ましく、プラスチックにて、上板２ａは、保持孔７を有する平板部２８と、その平板部２８の外周から垂設された外周壁部２６と、内周から垂設された内周壁部２７を一体に成型し、他方、下板２ｂは、平板部２９と、その平板部２９の外周から起立された外周壁部３０と、内周から起立された内周壁部３１を一体に成型して、構成され、そして、図６で明らかなように、外周壁部２６と３０、及び、内周壁部２７と３１を、相互に嵌着して、組立られている。この上板２ａ，下板２ｂを透明なプラスチックとすれば、薬品用のビン類のラベルを、容易に識別可能である。このようにすれば、部品点数が減少できて、剛性も高いという利点がある。
【００２６】
本発明の薬品庫１は、支柱３廻りに、様々な保持孔７を有する回転盤２が上下複数段に付設されていて、夫々が独立的に回転可能な構造である。これにより、各回転盤２毎に、目的の薬品ビン類８を、迅速に探したり、出し入れできる。
【００２７】
【発明の効果】
本発明は上述の如く構成されるので、次に記載する効果を奏する。
【００２８】
（請求項１によれば）箱本体４内に立設した支柱３廻りに回転自在に付設した回転盤２に、薬品用のビン類を載置するため、すべての薬品用のビン類のラベルが均等に見つけやすく、目的の薬品用のビン類を迅速に探し出し、出し入れできる。
【００２９】
（請求項２によれば）回転盤２は、薬品用のビン類を鉛直状に保持する複数の保持孔７を有する上板２ａと、その上板２ａの下方に間隔を置いて配設した、薬品用のビン類を受けるための下板２ｂと、から成っているため、回転盤２は、回転盤２を回転した場合や、震動の起きる場合も、薬品用のビン類は、保持孔７の内周面に当接し、転倒の虞れがない。さらに、回転盤２は、複数の保持孔７を、所定間隔を置いて配設しているため、夫々の薬品用のビン類を、互いに接触させることなく載置でき、回転盤２から出し入れする際に、ぶつかり合って割れる虞れがない。
【００３０】
（請求項３によれば）回転盤２が上下複数段に付設されていて、夫々が独立的に回転可能な構造であるため、各回転盤２毎に、同時に、目的の薬品用のビン類を、迅速に探したり、出し入れできる。
【図面の簡単な説明】
【図１】本発明の薬品庫の実施の一形態を示す斜視図である。
【図２】一部断面正面図である。
【図３】回転盤の平面図である。
【図４】回転盤の斜視図である。
【図５】回転盤の要部拡大一部断面正面図である。
【図６】他の実施の形態を示す要部断面正面図である。
【符号の説明】
１    薬品庫
２    回転盤
２ａ  上板
２ｂ  下板
３    支柱
４    箱本体
７    保持孔
【図１】
2004154314.tif 000003
【図２】
2004154314.tif 000004
【図３】
2004154314.tif 000005
【図４】
2004154314.tif 000006
【図５】
2004154314.tif 000007
【図６】
2004154314.tif 000008